(57)【要約】【課題】  リピート再生もリピート再生区間の移動も操作が簡単で、各長さデータに合わせて自動でリピート再生区間の設定を変えることができる、記録媒体再生装置とリピート再生方法およびリピート再生区間移動方法を提供することを目的とする。【解決手段】  ファイル再生手段２と、リピート再生希望時間設定手段３と、メモリ手段４と、リピート再生指示地点設定手段５と、〔リピート再生希望時間の長さ〕（ｔ）と〔再生ファイル全長時間の長さ〕（Ｙ）と〔再生ファイルの先端もしくは終端地点からリピート再生指示地点（ａ）までの長さ〕（ｘ）の各データを読み込んで比較算出しリピート再生区間を自動で設定できる比較算出手段６と、同じリピート再生時間の長さを保ったままリピート再生区間を送戻方向に移動できるリピート再生区間移動手段７と、すべての動作をコントロールするための制御手段８と、を有することを特徴とする。【選択図】図１
2006107681.tif 000002
【特許請求の範囲】
【請求項１】
記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイルの長さにおける〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有することを特徴とする記録媒体再生装置。
【請求項２】
記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル終端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と再生ファイル終端地点からの長さである〔リピート再生指示地点（ａ）の位置情報〕（ｘ）を読み取り、比較算出手段により〔ｔ≧ｘ〕でない場合はリピート再生指示地点（ａ）から始まるリピート再生希望時間の長さ（ｔ）をリピート再生区間として自動で設定してリピート再生させ、〔ｔ≧ｘ〕である場合はリピート再生指示地点（ａ）から再生ファイル終端地点までをリピート再生区間として自動で設定してリピート再生させることを特徴とするリピート再生方法。
【請求項３】
記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル終端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と〔再生ファイル全長時間の長さ（Ｙ）〕と再生ファイル終端地点からの長さである〔リピート再生指示地点（ａ）の位置情報〕（ｘ）を読み取り、比較算出手段により〔ｔ＝０〕である場合はリピート再生指示地点（ａ）から再生ファイル終端地点までをリピート再生区間として自動で設定してリピート再生させ、〔ｔ＝０〕でなく〔ｔ＜ｘ〕である場合はリピート再生指示地点（ａ）から始まるリピート再生希望時間の長さ（ｔ）をリピート再生区間として自動で設定してリピート再生させ、〔ｔ＝０〕でも〔ｔ＜ｘ〕でもなく〔ｔ＜Ｙ〕である場合は、再生ファイル終了地点をリピート再生区間の終了地点とするリピート再生希望時間の長さ（ｔ）をリピート再生区間として自動で設定してリピート再生させ、〔ｔ＝０〕でも〔ｔ＜ｘ〕でも〔ｔ＜Ｙ〕でもない場合は再生ファイル全長をリピート再生区間として自動で設定してリピート再生させることを特徴とするリピート再生方法。
【請求項４】
記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と〔再生ファイル終端地点からの長さであるリピート再生指示地点（ａ）の位置情報〕（ｘ１）と〔再生ファイル先端地点からの長さであるリピート再生指示地点（ａ）の位置情報〕（ｘ２）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、リピート再生指示地点（ａ）からの送り方向のリピート再生希望時間（ｔ１）と戻し方向のリピート再生希望時間（ｔ２）からなるユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔送り方向のリピート再生希望時間（ｔ１）と戻し方向のリピート再生希望時間（ｔ２）のリピート再生希望時間（ｔ）〕と〔再生ファイル全長時間の長さ〕（Ｙ）と〔再生ファイル終端地点からの長さであるリピート再生指示地点（ａ）の位置情報（ｘ１）と再生ファイル先端地点からの長さであるリピート再生指示地点（ａ）の位置情報（ｘ２）〕（ｘ）を読み取り、比較算出手段により〔ｔ＝０〕である場合、または、〔ｔ＝０〕ではなく〔ｔ１≧ｘ１〕であり〔ｔ2≧ｘ２〕でもある場合は再生ファイル全長をリピート再生区間として自動で設定してリピート再生させ、〔ｔ＝０〕ではなく〔ｔ１≧ｘ１〕であり〔ｔ２≧ｘ２〕ではない場合はリピート再生指示地点（ａ）の戻し方向のリピート再生希望時間の長さ（ｔ２）分手前から再生ファイル終端地点までをリピート再生区間として自動で設定してリピート再生させ、〔ｔ＝０〕でも〔ｔ１≧ｘ１〕でもなく〔ｔ2≧ｘ２〕である場合は再生ファイル先端地点からリピート再生指示地点（ａ）の送り方向のリピート再生希望時間の長さ（ｔ１）をリピート再生区間として自動で設定してリピート再生させ、〔ｔ＝０〕でも〔ｔ１≧ｘ１〕でも〔ｔ2≧ｘ２〕でもない場合はリピート再生指示地点（ａ）の送り方向（ｔ１）と戻し方向（ｔ２）のリピート再生希望時間の長さ（ｔ）をリピート再生区間として自動で設定してリピート再生させることを特徴とするリピート再生方法。
【請求項５】
記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル先端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と再生ファイル先端地点からの長さである〔リピート再生指示地点（ａ）の位置情報〕（ｘ）を読み取り、比較算出手段により〔ｔ≧ｘ〕でない場合は、リピート再生指示地点（ａ）をリピート再生区間の終了地点とするリピート再生希望時間の長さ（ｔ）をリピート再生区間として自動で設定してリピート再生させ、〔ｔ≧ｘ〕である場合は再生ファイル先端地点からリピート再生指示地点（ａ）までをリピート再生区間として自動で設定してリピート再生させることを特徴とするリピート再生方法。
【請求項６】
記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル先端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と〔再生ファイル全長時間の長さ（Ｙ）〕と再生ファイル先端地点からの長さである〔リピート再生指示地点（ａ）の位置情報〕（ｘ）を読み取り、比較算出手段により〔ｔ＝０〕である場合は再生ファイル先端地点からリピート再生指示地点（ａ）までをリピート再生区間として自動で設定してリピート再生させ、〔ｔ＝０〕でなく〔ｔ＜ｘ〕である場合は、リピート再生指示地点（ａ）をリピート再生区間の終了地点とするリピート再生希望時間の長さ（ｔ）をリピート再生区間として自動で設定してリピート再生させ、〔ｔ＝０〕でも〔ｔ＜ｘ〕でもなく〔ｔ＜Ｙ〕である場合はリピート再生ファイル先端地点からリピート再生希望時間の長さ（ｔ）をリピート再生区間として自動で設定してリピート再生させ、〔ｔ＝０〕でも〔ｔ＜ｘ〕でも〔ｔ＜Ｙ〕でもない場合は再生ファイル全長をリピート再生区間として自動で設定してリピート再生させることを特徴とするリピート再生方法。
【請求項７】
請求項２、３、４、５または６記載のリピート再生方法が実施可能な記録媒体再生装置において、ユーザーがリピート再生中のリピート再生区間の移動を希望した時点で、リピート再生区間送り方向移動用キーを長押しした場合は長押しの時間分だけ送り方向に移動し、リピート再生区間戻し方向移動用キーを長押した場合は長押しの時間分だけ戻し方向に移動し、リピート再生区間送り方向移動用キーを短く押した場合はキーを押した地点をリピート再生区間の開始地点に変更してその分を送り方向に移動し、リピート再生区間戻し方向移動用キーを短く押した場合はキーを押した地点をリピート再生区間の終了地点に変更してその分を戻し方向に移動し、移動後のリピート再生区間の長さは移動前と同じであることを特徴とするリピート再生区間移動方法。
【請求項８】
上記のリピート再生区間送り方向移動用キーがＦＦキーに割り当てられ、リピート再生区間戻し方向移動用キーがＲＥＷキーに割り当てられていることを特徴とする請求項７記載のリピート再生区間移動方法。
【請求項９】
少なくとも上記した請求項２、３、４、５または６記載のリピート再生方法のうちの２つ以上と、上記した請求項７または８記載のリピート再生区間移動方法とが、実施可能である記録媒体再生装置において、ユーザーが希望するリピート再生方法を選択することのできるリピート再生方法選択手段を有していることを特徴とする記録媒体再生装置。
【発明の詳細な説明】
【技術分野】
【０００１】
この発明は、リピート再生可能な機能を有したＤＶＤ、ＨＤＤ、ＶＴＲ、ＬＤ、ＣＤ、ＭＤ、これらの複合機、等における記録媒体再生装置とリピート再生方法およびリピート再生区間移動方法に関するものである。
【背景技術】
【０００２】
記録媒体再生装置は記録媒体に記録されている情報記録再生ファイルの再生ファイル先端地点から再生ファイル終端地点までの再生ファイル全長時間を再生することができる装置である。従来のリピート再生可能な機能を有した記録媒体装置として、たとえば特開平１０−３１２２００の「情報再生装置」がある。
【０００３】
この装置は、請求項１に記されたとおり、「記録媒体に記録された内容を繰り返し再生可能な情報再生手段と、繰り返し再生区間の開始位置を指定する開始位置指定手段と、繰り返し再生区間の終了位置を指定する終了位置指定手段と、上記開始位置と上記終了位置を記憶する記憶手段と、上記開始位置と上記終了位置の少なくとも一方の変更を指定可能な位置変更指定手段と、上記開始位置と上記終了位置の間の区間を繰り返し再生するよう制御し、繰り返し再生中に上記位置変更指定手段で変更が指定されたきは、該指定に応じて繰り返し再生区間を逐次変更するよう制御する制御手段と、を有することを特徴とする情報再生装置。」であり、リピート再生区間の設定はその開始位置と終了位置の２箇所を指定する方法がとられており、そのリピート再生区間の開始位置や終了位置は変更を可能としている。
【０００４】
上記の装置において再生ファイル再生中に設定されたリピート再生区間は、請求項２に記されたとおり、「上記制御手段は、上記位置変更指定手段で開始位置の変更が指定されたときは、繰り返し再生区間の長さを変更しないように終了位置の指定も自動的に変更するよう制御し、上記位置変更指定手段で終了位置の変更が指定されたときは、繰り返し再生区間の長さを変更しないように開始位置の指定も自動的に変更する」ことができる。リピート再生の開始から終了までの長さは変わらないが、記録再生ファイルのリピート再生の開始地点と終了地点を変更する方法がとられている。リピート再生中に、Ｆ−ＳＫＩＰキーでプラス方向（送り方向）に、Ｒ−ＳＫＩＰキーでマイナス方向（戻し方向）に、それぞれ一定間隔をジャンプするスキップ式にリピート再生区間の位置を移動させることができる。
【０００５】
【特許文献１】特開平１０−３１２２００
【発明の開示】
【発明が解決しようとする課題】
【０００６】
上記した従来の記録媒体再生装置では、ユーザーは記録再生ファイルの再生途中でリピート再生区間の開始位置と終了位置を設定するために、１度キーを押した後も待機し続けて希望する位置がきたところで２度目のキーを押さなければならず、リピート再生区間の設定に手間がかかり、操作するユーザーに負担をかけている。また、リピート再生区間が再生ファイルの長さを超える場合に対応できない。リピート再生区間と再生ファイル自体の時間が異なったり、設定がオーバーした場合も対応できない。また、リピート再生区間の移動が一定間隔でジャンプしながら移動する方式であるため、スムーズで正確な移動調節ができないし、希望する地点をリピートの開始地点に設定したり終了地点に設定したりすることもできない。
【０００７】
本発明は、上記した問題を解決し、リピート再生のための操作が簡単であり、リピート再生区間の設定を状況に合わせて自動で行うことができ、リピート再生区間の移動もユーザーの選択した方法で希望する地点に移動させることができる、非常にユーザーフレンドリーな記録媒体再生装置とリピート再生方法およびリピート再生区間移動方法を提供することを目的とする。
【課題を解決するための手段】
【０００８】
請求項１に係る本発明の記録媒体再生装置は、記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイルの長さにおける〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有することを特徴とする。
【０００９】
請求項２に係る本発明のリピート再生方法は、記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル終端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と再生ファイル終端地点からの長さである〔リピート再生指示地点（ａ）の位置情報〕（ｘ）を読み取り、比較算出手段により〔ｔ≧ｘ〕でない場合はリピート再生指示地点（ａ）から始まるリピート再生希望時間の長さ（ｔ）をリピート再生区間として自動で設定してリピート再生させ、〔ｔ≧ｘ〕である場合はリピート再生指示地点（ａ）から再生ファイル終端地点までをリピート再生区間として自動で設定してリピート再生させることを特徴とする。
【００１０】
請求項３に係る本発明のリピート再生方法は、記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル終端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と〔再生ファイル全長時間の長さ（Ｙ）〕と再生ファイル終端地点からの長さである〔リピート再生指示地点（ａ）の位置情報〕（ｘ）を読み取り、比較算出手段により〔ｔ＝０〕である場合はリピート再生指示地点（ａ）から再生ファイル終端地点までをリピート再生区間として自動で設定してリピート再生させ、〔ｔ＝０〕でなく〔ｔ＜ｘ〕である場合はリピート再生指示地点（ａ）から始まるリピート再生希望時間の長さ（ｔ）をリピート再生区間として自動で設定してリピート再生させ、〔ｔ＝０〕でも〔ｔ＜ｘ〕でもなく〔ｔ＜Ｙ〕である場合は、再生ファイル終了地点をリピート再生区間の終了地点とするリピート再生希望時間の長さ（ｔ）をリピート再生区間として自動で設定してリピート再生させ、〔ｔ＝０〕でも〔ｔ＜ｘ〕でも〔ｔ＜Ｙ〕でもない場合は再生ファイル全長をリピート再生区間として自動で設定してリピート再生させることを特徴とする。
【００１１】
請求項４に係る本発明のリピート再生方法は、記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と〔再生ファイル終端地点からの長さであるリピート再生指示地点（ａ）の位置情報〕（ｘ１）と〔再生ファイル先端地点からの長さであるリピート再生指示地点（ａ）の位置情報〕（ｘ２）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、リピート再生指示地点（ａ）からの送り方向のリピート再生希望時間（ｔ１）と戻し方向のリピート再生希望時間（ｔ２）からなるユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔送り方向のリピート再生希望時間（ｔ１）と戻し方向のリピート再生希望時間（ｔ２）のリピート再生希望時間（ｔ）〕と〔再生ファイル全長時間の長さ〕（Ｙ）と〔再生ファイル終端地点からの長さであるリピート再生指示地点（ａ）の位置情報（ｘ１）と再生ファイル先端地点からの長さであるリピート再生指示地点（ａ）の位置情報（ｘ２）〕（ｘ）を読み取り、比較算出手段により〔ｔ＝０〕である場合、または、〔ｔ＝０〕ではなく〔ｔ１≧ｘ１〕であり〔ｔ2≧ｘ２〕でもある場合は再生ファイル全長をリピート再生区間として自動で設定してリピート再生させ、〔ｔ＝０〕ではなく〔ｔ１≧ｘ１〕であり〔ｔ2≧ｘ２〕ではない場合はリピート再生指示地点（ａ）の戻し方向のリピート再生希望時間の長さ（ｔ２）分手前から再生ファイル終端地点までをリピート再生区間として自動で設定してリピート再生させ、〔ｔ＝０〕でも〔ｔ１≧ｘ１〕でもなく〔ｔ2≧ｘ２〕である場合は再生ファイル先端地点からリピート再生指示地点（ａ）の送り方向のリピート再生希望時間の長さ（ｔ１）をリピート再生区間として自動で設定してリピート再生させ、〔ｔ＝０〕でも〔ｔ１≧ｘ１〕でも〔ｔ2≧ｘ２〕でもない場合はリピート再生指示地点（ａ）の送り方向（ｔ１）と戻し方向（ｔ２）のリピート再生希望時間の長さ（ｔ）をリピート再生区間として自動で設定してリピート再生させることを特徴とする。
【００１２】
請求項５に係る本発明のリピート再生方法は、記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル先端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と再生ファイル先端地点からの長さである〔リピート再生指示地点（ａ）の位置情報〕（ｘ）を読み取り、比較算出手段により〔ｔ≧ｘ〕でない場合は、リピート再生指示地点（ａ）をリピート再生区間の終了地点とするリピート再生希望時間の長さ（ｔ）をリピート再生区間として自動で設定してリピート再生させ、〔ｔ≧ｘ〕である場合は再生ファイル先端地点からリピート再生指示地点（ａ）までをリピート再生区間として自動で設定してリピート再生させることを特徴とする。
【００１３】
請求項６に係る本発明のリピート再生方法は、記録媒体に記録された再生ファイルを再生できるファイル再生手段と、リピート再生希望時間の長さ（ｔ）を設定できるリピート再生希望時間設定手段と、上記したリピート再生希望時間の長さを記憶するメモリ手段と、再生ファイル再生中のリピート再生を希望する箇所でリピート再生用キーを１回操作するだけでリピート再生指示地点（ａ）をマーキングできるリピート再生指示地点設定手段と、〔リピート再生希望時間の長さ〕（ｔ）と〔再生ファイル全長時間の長さ〕（Ｙ）と再生ファイル先端地点からの長さである〔リピート再生指示地点（ａ）の位置情報〕（ｘ）の各データを読み込んで比較算出することにより各状況に合わせたリピート再生区間の開始地点と終了地点を自動で設定できる比較算出手段と、リピート再生区間の移動を希望する場合はリピート再生中にリピート再生区間移動用キーの操作によって移動前と同じリピート再生時間の長さを保ったままリピート再生区間を送り方向あるいは戻し方向に移動させることができるリピート再生区間移動手段と、すべての動作をコントロールするための制御手段と、を有した記録媒体再生装置を用いたリピート再生方法において、ユーザーが随時設定できるリピート再生希望時間の長さ（ｔ）をメモリ手段に記憶し、記録媒体に記録されている再生ファイルを再生させ、リピート再生を希望した時点でリピート再生用キーを１回操作することによりリピート再生指示地点（ａ）を設定し、〔リピート再生希望時間の長さ〕（ｔ）と〔再生ファイル全長時間の長さ（Ｙ）〕と再生ファイル先端地点からの長さである〔リピート再生指示地点（ａ）の位置情報〕（ｘ）を読み取り、比較算出手段により〔ｔ＝０〕である場合は再生ファイル先端地点からリピート再生指示地点（ａ）までをリピート再生区間として自動で設定してリピート再生させ、〔ｔ＝０〕でなく〔ｔ＜ｘ〕である場合は、リピート再生指示地点（ａ）をリピート再生区間の終了地点とするリピート再生希望時間の長さ（ｔ）をリピート再生区間として自動で設定してリピート再生させ、〔ｔ＝０〕でも〔ｔ＜ｘ〕でもなく〔ｔ＜Ｙ〕である場合は再生ファイル先端地点からリピート再生希望時間の長さ（ｔ）をリピート再生区間として自動で設定してリピート再生させ、〔ｔ＝０〕でも〔ｔ＜ｘ〕でも〔ｔ＜Ｙ〕でもない場合は再生ファイル全長をリピート再生区間として自動で設定してリピート再生させることを特徴とする。
【００１４】
請求項７に係る本発明のリピート再生区間移動方法は、請求項２、３、４、５または６記載のリピート再生方法が実施可能な記録媒体再生装置において、ユーザーがリピート再生中のリピート再生区間の移動を希望した時点で、リピート再生区間送り方向移動用キーを長押しした場合は長押しの時間分だけ送り方向に移動し、リピート再生区間戻し方向移動用キーを長押した場合は長押しの時間分だけ戻し方向に移動し、リピート再生区間送り方向移動用キーを短く押した場合はキーを押した地点をリピート再生区間の開始地点に変更してその分を送り方向に移動し、リピート再生区間戻し方向移動用キーを短く押した場合はキーを押した地点をリピート再生区間の終了地点に変更してその分を戻し方向に移動し、移動後のリピート再生区間の長さは移動前と同じであることを特徴とする。
【００１５】
請求項８に係る本発明のリピート再生区間移動方法は、請求項７記載のリピート再生区間移動方法において、リピート再生区間送り方向移動用キーがＦＦキーに割り当てられ、リピート再生区間戻し方向移動用キーがＲＥＷキーに割り当てられていることを特徴とする。
【００１６】
請求項９に係る本発明の記録媒体再生装置は、少なくとも上記した請求項２、３、４、５または６記載のリピート再生方法のうちの２つ以上と、上記した請求項７または８記載のリピート再生区間移動方法とが、実施可能である記録媒体再生装置において、ユーザーが希望するリピート再生方法を選択することのできるリピート再生方法選択手段を有していることを特徴とする。
【００１７】
上記の記録媒体再生装置とリピート再生方法およびリピート再生区間移動方法は、リピート再生希望時間の長さ（ｔ）を設定してメモリ手段に記憶させておくことにより、リピート再生用キーを１回操作するだけで、リピート再生区間を設定することができる。リピート再生希望時間の長さ（ｔ）の設定はいつ行ってもよい。リピート再生用キーの操作は、再生ファイル再生中であれば、通常の再生中でもリピート再生中でも行うことができる。リピート再生用キーが１回操作された段階で、その箇所にリピート再生指示地点（ａ）が設定され、比較算出手段が〔リピート再生希望時間の長さ〕（ｔ）と〔再生ファイル全長時間の長さ〕（Ｙ）と再生ファイルの長さにおける〔リピート再生指示地点（ａ）の位置情報〕（ｘ）の各データを読み込んで比較算出することにより各状況に合わせたリピート再生区間の開始地点と終了地点が自動で設定され、その後は設定された区間でリピート再生が繰り返される。リピート再生方法の違いによって比較算出の手順が異なり、その結果、リピート再生区間の設定結果が各状況に応じてそれぞれ違ってくる場合がある。リピート再生方法選択手段によれば、ユーザーの希望に合わせたリピート再生方法を選択できるようになる。リピート再生区間の移動は、リピート再生区間送り方向移動用キーとリピート再生区間戻し方向移動用キーの２つのキーの２つの操作方法によって４つの移動パターンを自由に使いこなすことが可能である。すなわち、リピート再生区間送り方向移動用キーを長押しすることにより押した時間分だけ送り方向に移動させることができ、リピート再生区間送り方向移動用キーを短く押すことにより押した地点をリピート再生区間の開始地点に設定してその分送り方向に移動させることができ、リピート再生区間戻し方向移動用キーを長押しすることにより押した時間分だけ戻し方向に移動させることができ、リピート再生区間戻し方向移動用キーを短く押すことにより押した地点をリピート再生区間の終了地点に設定してその分戻し方向に移動させることができる。これらの移動操作を駆使することで素早く正確なリピート再生区間移動が可能となる。
【発明の効果】
【００１８】
請求項１または９記載の記録媒体再生装置および請求項２、３、４、５または６記載のリピート再生方法によれば、再生ファイル再生中にリピート再生用キーを１回操作するだけで、簡単にリピート再生を行うことができる。ユーザーはリピート再生区間の時間の長さを自由に設定することができる。再生ファイルの全長の長さや、リピート再生希望時間の長さ、リピート再生指示地点と再生ファイルの先端もしくは終端地点との距離などの、各状況に合わせて、リピート再生区間の開始と終了の地点を自動的に設定してリピート再生することができる。本発明の記録媒体再生装置とリピート再生方法およびリピート再生区間移動方法は、キー操作１回でリピート再生ができ、キー操作最低１回でリピート再生区間の移動ができ、操作方法が極めて簡単でユーザーに無駄な負担をかけさせない実にユーザーフレンドリーな技術である。
【００１９】
請求項２記載のリピート再生方法によれば、たとえ再生ファイルの終端地点との距離がリピート再生希望時間の長さより短い場合であっても、常にリピート再生指示地点をリピート再生区間の開始地点とするリピート再生を行うことができる。
【００２０】
請求項３記載のリピート再生方法によれば、再生ファイルにリピート再生希望時間の長さ分の余裕がある場合はリピート再生指示地点をリピート再生区間の開始地点とするリピート再生を行うことができ、再生ファイルの終端地点との距離がリピート再生希望時間の長さより短い場合はリピート再生指示地点に関係なくリピート再生希望時間の長さ分のリピート再生を行うことができ、リピート再生希望時間の長さを限定しない設定とした場合は常にリピート再生指示地点と再生ファイル終端地点をリピート再生区間とするリピート再生を行うことができる。
【００２１】
請求項４記載のリピート再生方法によれば、リピート再生指示地点の送り方向と戻し方向にリピート再生区間の終了地点と開始地点を設定したリピート再生を行うことができる。リピート再生希望時間の長さを前後に分けて設定できる。リピート再生指示地点と再生ファイルの先端もしくは終端地点との距離がリピート再生希望時間の長さより短い場合は、再生ファイルの先端もしくは終端地点をリピート再生区間の開始もしくは終了地点とするリピート再生を行うことができる。
【００２２】
請求項５記載のリピート再生方法によれば、たとえ再生ファイルの先端地点との距離がリピート再生希望時間の長さより短い場合であっても、常にリピート再生指示地点をリピート再生区間の終了地点とするリピート再生を行うことができる。
【００２３】
請求項６記載のリピート再生方法によれば、再生ファイルにリピート再生希望時間の長さ分の余裕がある場合はリピート再生指示地点をリピート再生区間の終了地点とするリピート再生を行うことができ、再生ファイルの先端地点との距離がリピート再生希望時間の長さより短い場合はリピート再生指示地点に関係なくリピート再生希望時間の長さ分のリピート再生を行うことができ、リピート再生希望時間の長さを限定しない設定とした場合は常にリピート再生指示地点と再生ファイル先端地点をリピート再生区間とするリピート再生を行うことができる。
【００２４】
請求項７記載のリピート再生区間移動方法によれば、リピート再生区間送り方向移動用キーとリピート再生区間戻し方向移動用キーの２つのキーの２つの操作方法によって４つの移動パターンを自由に駆使することが可能となる。これら４つの移動操作を自由に使い分け自在に駆使することで素早く正確なリピート再生区間移動が可能となる。希望する時間分を移動させることや、希望した地点をリピート再生区間の開始もしくは終了に設定することが可能である。
【００２５】
請求項８記載のリピート再生区間移動方法によれば、上記したリピート再生区間移動をＦＦキーとＲＥＷキーによって操作することが可能となる。
【００２６】
請求項９記載の記録媒体再生装置によれば、前記したすべてのリピート再生に関わるリピート再生方法とリピート再生区間移動方法を実施することが可能となる。複数のリピート再生方法の中から、ユーザーの希望に合わせたリピート再生方法を選んでリピート再生させることが可能となる。
【発明を実施するための最良の形態】
【００２７】
以下、本発明に係る記録媒体再生装置とリピート再生方法およびリピート再生区間移動方法を実施するための最良の形態の一例について図を参照しながら説明するが、本発明は本実施の形態にのみ限定されるべきものではない。
【００２８】
図１は記録媒体再生装置の構成をあらわす。図中１は再生ファイルが記録されている記録媒体である。図中２は再生ファイルを再生させるためのファイル再生手段である。図中３は、リピート再生する開始から終了までのユーザーが希望する長さを設定しておくリピート再生希望時間設定手段である。図中４はリピート再生希望時間設定手段３が設定したデータを記憶しておくためのメモリ手段である。図中５は再生ファイル再生中にユーザーがリピート再生の操作をした時点の再生ファイルの位置を設定するためのリピート再生指示地点設定手段である。図中６は、〔リピート再生希望時間の長さ〕（ｔ）と〔再生ファイル全長時間の長さ〕（Ｙ）と再生ファイルの長さにおける〔リピート再生指示地点（ａ）の位置情報〕（ｘ）の各データを読み込んで比較算出することにより各状況に合わせたリピート再生区間の開始地点と終了地点を自動で設定できる比較算出手段である。図中７はリピート再生中にリピート再生区間移動用キーの操作によって移動前と同じリピート再生時間の長さを保ったままリピート再生区間を送り方向あるいは戻し方向に移動させることができるリピート再生区間移動手段である。ＦＦキーにリピート再生区間送り方向移動用キーが割り当てられ、ＲＥＷキーにリピート再生区間戻し方向移動用キーが割り当てられている。これらのキーは別のキーに割り当てても良いし、専用キーを設けても良い。図中８は装置全体をコントロールする制御手段である。設定、読み込み、比較算出、制御等はマイコンで簡単に行うことができる。主な操作はリモコンによりインターフェース部を通して行われる。上記したインターフェース部や各手段は連携して動作するよう通信で結ばれている。図２に記録媒体再生装置をマイコン制御する場合の一例を示す。マイコンは設定部と比較演算部とファイル管理部と制御部と受光部で構成され、記録媒体１やメモリ手段４と連結している。リモコンのリピート再生用キーを押すと信号が受光部で受信されてリピート再生が開始される。
【００２９】
操作の流れについて説明する。まず、図３に例示したようなメニュー画面から、リピート再生希望時間の長さ（ｔ）を設定する。この例ではリピート再生希望時間の長さ（ｔ）を５分に設定した。これはいつでも設定可能であり、一度設定してあれば次に設定を変更するまでは操作する必要はない。
【００３０】
つぎに、ファイル再生手段２により記録媒体１に記憶保存されている再生ファイルの再生を開始させる。再生ファイル再生中にユーザーはリピート再生を希望する箇所でリピート再生用キーを１回押すだけでリピート再生が開始される。リピート再生を解除するまで再生ファイルの同じ区間が繰り返し再生される。
【００３１】
リピート再生用キーを押すことにより、再生ファイルへのリピート再生指示地点（ａ）の設定、〔リピート再生希望時間の長さ〕（ｔ）と〔再生ファイル全長時間の長さ〕（Ｙ）と再生ファイルの長さにおける〔リピート再生指示地点（ａ）の位置情報〕（ｘ）の各データの読み込み、各データに基づき比較算出手段６によるリピート再生区間の開始地点と終了地点の自動設定、ファイル再生手段２によるリピート再生区間のリピート再生、といった一連の作業が実行される。〔再生ファイル全長時間の長さ〕（Ｙ）と再生ファイルの長さにおける〔リピート再生指示地点（ａ）の位置情報〕（ｘ）は、記録媒体１の各記録ファイルから検出する。
【００３２】
比較算出手段６の比較算出方法の違いでリピート再生方法が異なる。本実施形態の記録媒体再生装置は少なくとも２つ以上のリピート再生方法が実施可能であり、リピート再生方法選択手段によりユーザーが希望するリピート再生方法を選択できる。リピート再生方法には、図４図５の第１、図６図７の第２、図８、図９図１０の第３、図１１図１２の第４、図１３図１４の第５、と５種類ある（番号は任意に順番をふったものにすぎない。）。図中の太線で示した矢印の範囲は自動設定されたリピート再生区間をあらわしている。
【００３３】
図４のフローチャートに示す第１のリピート再生方法によれば、〔リピート再生希望時間の長さ〕（ｔ）と再生ファイル終端地点からの長さである〔リピート再生指示地点（ａ）の位置情報〕（ｘ）の各データを読み込んで比較算出し、〔ｔ≧ｘ〕でない場合はリピート再生指示地点（ａ）から始まるリピート再生希望時間の長さ（ｔ）をリピート再生区間として自動で設定してリピート再生させ（図５（Ａ）参照。）、〔ｔ≧ｘ〕である場合はリピート再生指示地点（ａ）から再生ファイル終端地点までをリピート再生区間として自動で設定してリピート再生させる（図５（Ｂ）参照。）。
【００３４】
図６のフローチャートに示す第２のリピート再生方法によれば、〔リピート再生希望時間の長さ〕（ｔ）と〔再生ファイル全長時間の長さ（Ｙ）〕と再生ファイル終端地点からの長さである〔リピート再生指示地点（ａ）の位置情報〕（ｘ）の各データを読み込んで比較算出し、〔ｔ＝０〕である場合はリピート再生指示地点（ａ）から再生ファイル終端地点までをリピート再生区間として自動で設定してリピート再生させ（図７（Ａ）参照。）、〔ｔ＝０〕でなく〔ｔ＜ｘ〕である場合はリピート再生指示地点（ａ）から始まるリピート再生希望時間の長さ（ｔ）をリピート再生区間として自動で設定してリピート再生させ（図７（Ｂ）参照。）、〔ｔ＝０〕でも〔ｔ＜ｘ〕でもなく〔ｔ＜Ｙ〕である場合は、再生ファイル終端地点をリピート再生区間の終了地点とするリピート再生希望時間の長さ（ｔ）をリピート再生区間として自動で設定してリピート再生させ（図７（Ｃ）参照。）、〔ｔ＝０〕でも〔ｔ＜ｘ〕でも〔ｔ＜Ｙ〕でもない場合は再生ファイル全長をリピート再生区間として自動で設定してリピート再生させる（図７（Ｄ）参照。）。〔ｔ＝０〕は、リピート再生希望時間の長さが０の場合であり、未設定の場合も含む。
【００３５】
図８、図９のフローチャートに示す第３のリピート再生方法によれば、〔送り方向のリピート再生希望時間（ｔ１）と戻し方向のリピート再生希望時間（ｔ２）のリピート再生希望時間（ｔ）〕と〔再生ファイル全長時間の長さ〕（Ｙ）と〔再生ファイル終端地点からの長さであるリピート再生指示地点（ａ）の位置情報（ｘ１）と再生ファイル先端地点からの長さであるリピート再生指示地点（ａ）の位置情報（ｘ２）〕（ｘ）の各データを読み込んで比較算出し、〔ｔ＝０〕である場合、または、〔ｔ＝０〕ではなく〔ｔ１≧ｘ１〕であり〔ｔ2≧ｘ２〕でもある場合は再生ファイル全長をリピート再生区間として自動で設定してリピート再生させ（図１０（Ａ）参照。）、〔ｔ＝０〕ではなく〔ｔ１≧ｘ１〕であり〔ｔ2≧ｘ２〕ではない場合はリピート再生指示地点（ａ）の戻し方向のリピート再生希望時間の長さ（ｔ２）分手前から再生ファイル終端地点までをリピート再生区間として自動で設定してリピート再生させ（図１０（Ｂ）参照。）、〔ｔ＝０〕でも〔ｔ１≧ｘ１〕でもなく〔ｔ2≧ｘ２〕である場合は再生ファイル先端地点からリピート再生指示地点（ａ）の送り方向のリピート再生希望時間の長さ（ｔ１）をリピート再生区間として自動で設定してリピート再生させ（図１０（Ｃ）参照。）、〔ｔ＝０〕でも〔ｔ１≧ｘ１〕でも〔ｔ2≧ｘ２〕でもない場合はリピート再生指示地点（ａ）からの送り方向のリピート再生希望時間（ｔ１）と戻し方向のリピート再生希望時間（ｔ２）のリピート再生希望時間の長さ（ｔ）をリピート再生区間として自動で設定してリピート再生させる（図１０（Ｄ）参照。）。〔ｔ＝０〕は、リピート再生希望時間の長さが０の場合であり、未設定の場合も含む。
【００３６】
図１１のフローチャートに示す第４のリピート再生方法によれば、〔リピート再生希望時間の長さ〕（ｔ）と再生ファイル先端地点からの長さである〔リピート再生指示地点（ａ）の位置情報〕（ｘ）の各データを読み込んで比較算出し、〔ｔ≧ｘ〕でない場合は、リピート再生指示地点（ａ）をリピート再生区間の終了地点とするリピート再生希望時間の長さ（ｔ）をリピート再生区間として自動で設定してリピート再生させ（図１２（Ａ）参照。）、〔ｔ≧ｘ〕である場合は再生ファイル先端地点からリピート再生指示地点（ａ）までをリピート再生区間として自動で設定してリピート再生させる（図１２（Ｂ）参照。）。
【００３７】
図１３のフローチャートに示す第５のリピート再生方法によれば、〔リピート再生希望時間の長さ〕（ｔ）と〔再生ファイル全長時間の長さ（Ｙ）〕と再生ファイル先端地点からの長さである〔リピート再生指示地点（ａ）の位置情報〕（ｘ）の各データを読み込んで比較算出し、〔ｔ＝０〕である場合は再生ファイル先端地点からリピート再生指示地点（ａ）までをリピート再生区間として自動で設定してリピート再生させ（図１４（Ａ）参照。）、〔ｔ＝０〕でなく〔ｔ＜ｘ〕である場合は、リピート再生指示地点（ａ）をリピート再生区間の終了地点とするリピート再生希望時間の長さ（ｔ）をリピート再生区間として自動で設定してリピート再生させ（図１４（Ｂ）参照。）、〔ｔ＝０〕でも〔ｔ＜ｘ〕でもなく〔ｔ＜Ｙ〕である場合は再生ファイル先端地点からリピート再生希望時間の長さ（ｔ）をリピート再生区間として自動で設定してリピート再生させ（図１４（Ｃ）参照。）、〔ｔ＝０〕でも〔ｔ＜ｘ〕でも〔ｔ＜Ｙ〕でもない場合は再生ファイル全長をリピート再生区間として自動で設定してリピート再生させる（図１４（Ｄ）参照。）。〔ｔ＝０〕は、リピート再生希望時間の長さが０の場合であり、未設定の場合も含む。
【００３８】
すでに設定されたリピート再生区間を移動させる方法は、リピート再生中にリピート再生区間移動用キーを押すだけである。図１５のフローチャートに示すリピート再生区間移動方法によれば、ユーザーがリピート再生中のリピート再生区間の移動を希望した時点で、リピート再生区間送り方向移動用キーを長押しした場合は長押しの時間分だけ送り方向に移動し（図１６（Ａ）参照。）、リピート再生区間戻し方向移動用キーを長押した場合は長押しの時間分だけ戻し方向に移動し（図１６（Ｂ）参照。）、リピート再生区間送り方向移動用キーを短く押した場合はキーを押した地点をリピート再生区間の開始地点に変更してその分を送り方向に移動し（図１６（Ｃ）参照。）、リピート再生区間戻し方向移動用キーを短く押した場合はキーを押した地点をリピート再生区間の終了地点に変更してその分を戻し方向に移動する（図１６（Ｄ）参照。）。移動後のリピート再生区間の長さは移動前と同じである。リピート再生区間移動用キーとして、リピート再生区間送り方向移動用キーとリピート再生区間戻し方向移動用キーの２つを設けてもよい。ＦＦキーにリピート再生区間送り方向移動用キーの役割を割り当て、ＲＥＷキーにリピート再生区間戻し方向移動用キーの役割を割り当ててもよいし、任意のキーを設けてもよい。スティックキーにリピート再生区間移動用キーの操作を割り当ててもよい。
【図面の簡単な説明】
【００３９】
【図１】記録媒体再生装置の構成をあらわす説明図。
【図２】記録媒体再生装置をマイコン制御する場合の一例をあらわす説明図。
【図３】メニュー画面の説明図。
【図４】第１のリピート再生方法をあらわすフローチャート。
【図５】図４のフローチャートにおけるリピート再生区間設定の説明図であり、（Ａ）はリピート再生指示地点からリピート再生希望時間の長さ分だけリピート再生される場合を、（Ｂ）はリピート再生指示地点から再生ファイル終端地点までリピート再生される場合を、それぞれあらわしている。
【図６】第２のリピート再生方法をあらわすフローチャート。
【図７】図６のフローチャートにおけるリピート再生区間設定の説明図であり、（Ａ）はリピート再生指示地点から再生ファイル終端地点までリピート再生される場合を、（Ｂ）はリピート再生指示地点からリピート再生希望時間の長さ分だけリピート再生される場合の説明図を、（Ｃ）はリピート再生希望時間の長さ分手前から再生ファイル終端地点までリピート再生される場合を、（Ｄ）は再生ファイル全長がリピート再生される場合を、それぞれあらわしている。
【図８】第３のリピート再生方法をあらわすフローチャート。
【図９】第３のリピート再生方法をあらわすフローチャート。
【図１０】図８、図９のフローチャートにおけるリピート再生区間設定の説明図であり、（Ａ）は再生ファイルの全長がリピート再生される場合を、（Ｂ）はリピート再生区間が再生ファイル終端地点からリピート再生希望時間の長さ分よりも短くなる場合を、（Ｃ）はリピート再生区間が再生ファイル先端地点からリピート再生希望時間の長さ分よりも短くなる場合を、（Ｄ）はリピート再生希望時間の長さ分だけリピート再生指示地点の前後区間リピート再生が実行される場合を、それぞれあらわしている。
【図１１】第４のリピート再生方法をあらわすフローチャート。
【図１２】図１１のフローチャートにおけるリピート再生区間設定の説明図であり、（Ａ）はリピート再生指示地点のリピート再生希望時間の長さ分手前からリピート再生指示地点までリピート再生される場合を、（Ｂ）は再生ファイル先端地点からリピート再生指示地点までリピ−ト再生される場合を、それぞれあらわしている。
【図１３】第５のリピート再生方法をあらわすフローチャート。
【図１４】図１３のフローチャートにおけるリピート再生区間設定の説明図であり、（Ａ）はリピート再生区間が再生ファイル先端地点からリピート再生指示地点のリピート再生希望時間の長さ分よりも短くなる場合を、（Ｂ）はリピート再生希望時間の長さ分手前からリピート再生指示地点までリピート再生が実行される場合を、（Ｃ）はリピート再生区間が再生ファイル先端地点からリピート再生希望時間の長さ分である場合を、（Ｄ）はリピート再生指示地点に関係なく再生ファイルの全長がリピート再生される場合を、それぞれあらわしている。
【図１５】リピート再生区間の変更を設定するためのフローチャート。
【図１６】図１５のフローチャートにおけるリピート再生区間移動の説明図であり、（Ａ）は長押しの時間分だけリピート再生区間の地点を送り方向移動させる場合を、（Ｂ）は長押しの時間分だけリピート再生区間の地点を戻し方向移動させる場合を、（Ｃ）は新たなリピート再生指示地点を新たな開始地点として設定を変更しリピート再生区間を送り方向移動させる場合を、（Ｄ）は新たなリピート再生指示地点を新たな終了地点として設定を変更しリピート再生区間を戻し方向移動させる場合を、それぞれあらわしている。
【符号の説明】
【００４０】
１  記録媒体
２  ファイル再生手段
３  リピート再生希望時間設定手段
４  メモリ手段
５  リピート再生指示地点設定手段
６  比較算出手段
７  リピート再生区間移動手段
８  制御手段
【図１】
2006107681.tif 000003
【図２】
2006107681.tif 000004
【図３】
2006107681.tif 000005
【図４】
2006107681.tif 000006
【図５】
2006107681.tif 000007
【図６】
2006107681.tif 000008
【図７】
2006107681.tif 000009
【図８】
2006107681.tif 000010
【図９】
2006107681.tif 000011
【図１０】
2006107681.tif 000012
【図１１】
2006107681.tif 000013
【図１２】
2006107681.tif 000014
【図１３】
2006107681.tif 000015
【図１４】
2006107681.tif 000016
【図１５】
2006107681.tif 000017
【図１６】
2006107681.tif 000018